(57)【要約】      （修正有）【課題】ＦＰＣを有する電子部品を好適に収納することができる電子部品収納トレイを実現する。【解決手段】第１の凹部１ａと第２の凹部１ｂが一対連なってなる収納凹部１を複数備える電子部品収納トレイ１０に、フレキシブル基板Ｆを有する小型液晶表示装置を収納する際に、小型液晶表示装置のＬＣＤ本体を第１の凹部１ａに収納するとともに、ＬＣＤ本体に延設されるフレキシブル基板を第２の凹部１ｂに収容するようにして、第１の凹部１ａと第２の凹部１ｂとが対を成す収納凹部１に小型液晶表示装置を収納する構成にした。【選択図】図１
2007030917.tif 000002
【特許請求の範囲】
【請求項１】
所定箇所に延設されるＦＰＣを有する電子部品を収納する電子部品収納トレイであって、
サイズの異なる第１の凹部と第２の凹部とが一対連なってなる複数の収納凹部と、当該電子部品収納トレイの外周側を補強する枠部と、を備え、
前記複数の収納凹部は、第１の凹部より小さなサイズの第２の凹部同士が、その第１の凹部よりも前記電子部品収納トレイの内側で対向するように当該電子部品収納トレイに対称的に配置され、前記収納凹部の一方の凹部に前記電子部品の部品本体を収納し、他方の凹部にその電子部品が有するＦＰＣを延出するように収容することを特徴とする電子部品収納トレイ。
【請求項２】
所定箇所に延設されるＦＰＣを有する電子部品を収納する電子部品収納トレイであって、
サイズの異なる凹部が一対連なってなる収納凹部を複数備え、前記収納凹部の一方の凹部に前記電子部品の部品本体が収納され、他方の凹部にその電子部品が有するＦＰＣが延出するように収容されることを特徴とする電子部品収納トレイ。
【請求項３】
前記複数の収納凹部は、同じサイズの凹部同士が対向するように、当該電子部品収納トレイに対称的に配置されていることを特徴とする請求項２に記載の電子部品収納トレイ。
【請求項４】
前記電子部品収納トレイの外周側には、当該電子部品収納トレイを補強する枠部が備えられ、
前記複数の収納凹部は、第１の凹部より小さなサイズの第２の凹部同士が、その第１の凹部よりも前記電子部品収納トレイの内側で対向するように、当該電子部品収納トレイに対称的に配置されていることを特徴とする請求項２又は３に記載の電子部品収納トレイ。
【発明の詳細な説明】
【技術分野】
【０００１】
本発明は、電子部品収納トレイに関する。
【背景技術】
【０００２】
従来、精密機器用の電子部品を出荷する場合に、トレイなどの包装材に電子部品を収納することで、輸送中の振動などによって電子部品が損傷してしまうことを防ぎ、電子部品の品質の維持を図っている。
【０００３】
このような電子部品用の包装材として、電子部品のサイズに応じてスペーサの配置を調整することによって、様々なサイズの電子部品を収納することができる包装トレイが知られている（例えば、特許文献１参照。）。
【０００４】
また、電子部品を介装することによって、様々なサイズの電子部品を収納することができる収納トレイが知られている（例えば、特許文献２参照。）。
【０００５】
また、収納トレイにおける所定の突起部を残存させて使用するか、除去して使用するかによって、異なるサイズの電子部品を収納することができる収納トレイが知られている（例えば、特許文献３参照。）。
【０００６】
また、サイズの異なる電子部品をポケット部に収納するとともに、フィルムを真空密着させて電子部品をトレイに固定する技術が知られている（例えば、特許文献４参照。）。
【０００７】
また、ＦＰＣ（Flexible Printed Circuit；フレキシブル基板）を有する電子部品を収納するための電子部品収納トレイ１００が知られている。
【０００８】
図５に示すように、電子部品収納トレイ１００には、電子部品Ｄを収納するための略矩形の凹部２０が隣接して連続するように形成されている。
【０００９】
この凹部２０に電子部品Ｄの部品本体Ｌを嵌入するように収納するとともに、その電子部品Ｄが有するＦＰＣ（フレキシブル基板Ｆ）を隣接する凹部２０に延出させるように収容する。そして、フレキシブル基板Ｆが収容されている凹部２０に、別の電子部品Ｄを収納するように、一方の電子部品Ｄのフレキシブル基板Ｆと、他の電子部品Ｄの部品本体Ｌを重ねるようにして、電子部品収納トレイ１００は、ＦＰＣを有する電子部品Ｄを複数収納することを可能にしている。
【特許文献１】特開平７−１２５７９０号公報
【特許文献２】特開平９−６４５８４号公報
【特許文献３】実開平５−５８６８３号公報
【特許文献４】特開平１１−３１０２９４号公報
【発明の開示】
【発明が解決しようとする課題】
【００１０】
しかしながら、上記従来技術における電子部品収納トレイ１００の場合、フレキシブル基板Ｆが、そのフレキシブル基板Ｆに重ねられた電子部品Ｄの部品本体Ｌと接触して損傷してしまうことがあった。
【００１１】
また、電子部品収納トレイ１００は、ＦＰＣを有する電子部品Ｄを部分的に重ねるように収納するため、凹部２０に電子部品Ｄを収納する順や、電子部品収納トレイ１００から電子部品Ｄを取り出す順に関する制約があるので、電子部品Ｄの収納・取り出し作業の効率が悪いという問題もあった。
【００１２】
また、上記特許文献１から特許文献４には、ＦＰＣを有する電子部品を収納するための特別な技術の開示はないので、上記電子部品収納トレイ１００における課題を解決することはできなかった。
【００１３】
本発明の目的は、ＦＰＣを有する電子部品を好適に収納することができる電子部品収納トレイを提供することである。
【課題を解決するための手段】
【００１４】
以上の課題を解決するため、請求項１記載の発明は、所定箇所に延設されるＦＰＣを有する電子部品を収納する電子部品収納トレイであって、サイズの異なる第１の凹部と第２の凹部とが一対連なってなる複数の収納凹部と、当該電子部品収納トレイの外周側を補強する枠部と、を備え、前記複数の収納凹部は、第１の凹部より小さなサイズの第２の凹部同士が、その第１の凹部よりも前記電子部品収納トレイの内側で対向するように当該電子部品収納トレイに対称的に配置され、前記収納凹部の一方の凹部に前記電子部品の部品本体を収納し、他方の凹部にその電子部品が有するＦＰＣを延出するように収容することを特徴とする。
【００１５】
請求項２記載の発明は、所定箇所に延設されるＦＰＣを有する電子部品を収納する電子部品収納トレイであって、サイズの異なる凹部が一対連なってなる収納凹部を複数備え、前記収納凹部の一方の凹部に前記電子部品の部品本体が収納され、他方の凹部にその電子部品が有するＦＰＣが延出するように収容されることを特徴とする。
【００１６】
請求項３記載の発明は、請求項２に記載の電子部品収納トレイにおいて、前記複数の収納凹部は、同じサイズの凹部同士が対向するように、当該電子部品収納トレイに対称的に配置されていることを特徴とする。
【００１７】
請求項４記載の発明は、請求項２又は３に記載の電子部品収納トレイにおいて、前記電子部品収納トレイの外周側には、当該電子部品収納トレイを補強する枠部が備えられ、前記複数の収納凹部は、第１の凹部より小さなサイズの第２の凹部同士が、その第１の凹部よりも前記電子部品収納トレイの内側で対向するように、当該電子部品収納トレイに対称的に配置されていることを特徴とする。
【発明の効果】
【００１８】
請求項１記載の発明によれば、電子部品収納トレイは、サイズの異なる凹部が一対連なってなる複数の収納凹部を備えており、その収納凹部の一方の凹部に電子部品の部品本体を収納し、他方の凹部にその電子部品が有するＦＰＣを延出するように収容することができるので、各収納凹部に収納する電子部品の部品本体とＦＰＣとが互いに重ならないようにそれぞれ単独に収納することが可能になる。そして、各収納凹部に対する電子部品の収納順や、取り出し順に関する制約はないので、所望する順に電子部品を収納したり、取り出したりすることができ、その収納・取り出し作業を容易に行うことができる。
【００１９】
特に、ＦＰＣと部品本体とを接触させることなく電子部品を収納することができるので、ＦＰＣが損傷してしまうことを防ぐことができる。
【００２０】
よって、この電子部品収納トレイは、ＦＰＣを有する電子部品を好適に収納することができる。
【００２１】
また、電子部品収納トレイが備える収納凹部は、サイズの異なる凹部が一対連なってなるので、電子部品収納トレイは、各凹部のサイズに応じた２種類の電子部品を収納することができる。例えば、大きなサイズの一方の凹部に大きな部品本体を収納し、対を成す小さなサイズの他方の凹部にＦＰＣを収容し、また、小さなサイズの一方の凹部に小さな部品本体を収納し、対を成す大きなサイズの他方の凹部にＦＰＣを収容するようにして、電子部品収納トレイの収納凹部に、サイズが異なる電子部品を収納することができる。
【００２２】
また、電子部品収納トレイは、大きなサイズの一方の凹部と小さなサイズの他方の凹部
とが対を成す収納凹部に、ＦＰＣを有する電子部品を収納する際に、一方の凹部に部品本体を収納し、他方の凹部にＦＰＣを収容するように、一方の凹部と他方の凹部とを一対として、各収納凹部に１つずつ電子部品を収納するので、電子部品収納トレイに大きなサイズの電子部品（部品本体）を収納する場合でも、電子部品収納トレイに小さなサイズの電子部品（部品本体）を収納する場合でも、電子部品収納トレイは、収納凹部の数に基づきそれぞれ同数の電子部品を収納することができる。
【００２３】
よって、１つの電子部品収納トレイあたりに収納することができる電子部品の数は、その電子部品の大きさによらず同数であるので、電子部品収納トレイに収納される電子部品の数を管理することを容易に行うことができる。
【００２４】
また、電子部品収納トレイは、大きなサイズの電子部品用の収容トレイと小さなサイズの電子部品用の収容トレイとして共用することができるので、それぞれの電子部品毎に収容トレイを用意する必要がなく、サイズ共用の電子部品収容トレイとして収納トレイの管理も容易に行うことができる。
【００２５】
また、電子部品収納トレイが備える複数の収納凹部は、小さなサイズの第２の凹部同士が大きなサイズの第１の凹部よりも電子部品収納トレイの内側で対向するように、その電子部品収納トレイに対称的に配置されているので、電子部品収納トレイに電子部品を対称的に収納することができることとなる。
【００２６】
ここで、電子部品は、比較的重い部品本体と比較的軽いＦＰＣとからなるため、その電子部品自体には重心に偏りがある。
【００２７】
そこで、電子部品収納トレイは複数の電子部品を各収納凹部に対称的に収納することによって、電子部品収納トレイに収納される電子部品における部品本体とＦＰＣに偏りがないようにして、重さのバランスよく電子部品を収納することを可能にする。
【００２８】
従って、電子部品収納トレイは、複数の電子部品を対称的にバランスよく収納することができ、複数の電子部品を安定させて収納することができる。
【００２９】
また、小さなサイズの第２の凹部同士が大きなサイズの第１の凹部よりも電子部品収納トレイの内側で対向するように収納凹部を配置することによって、小さなサイズの第２の凹部に相当する収納凹部の間を広くすることが可能になるので、その電子部品収納トレイの内側における収納凹部の間には、例えば、各収納凹部を仕切る太いトレイのフレーム部分が配置されることとなり、電子部品収納トレイの内側の剛性を高めることができる。更に、電子部品収納トレイの外周側には枠部が備えられており、電子部品収納トレイの外周側を補強しているので、電子部品収納トレイの強度をより高めることができる。
【００３０】
よって、電子部品収納トレイは、その外周側に枠部を備え、内側に太いフレーム部分を備えることによって、電子部品収納トレイの強度向上を図ることができる。
【００３１】
請求項２記載の発明によれば、電子部品収納トレイは、サイズの異なる凹部が一対連なってなる複数の収納凹部を備えており、その収納凹部の一方の凹部に電子部品の部品本体を収納し、他方の凹部にその電子部品が有するＦＰＣを延出するように収容することができるので、各収納凹部に収納する電子部品の部品本体とＦＰＣとが互いに重ならないようにそれぞれ単独に収納することが可能になる。そして、各収納凹部に対する電子部品の収納順や、取り出し順に関する制約はないので、所望する順に電子部品を収納したり、取り出したりすることができ、その収納・取り出し作業を容易に行うことができる。
【００３２】
特に、ＦＰＣと部品本体とを接触させることなく電子部品を収納することができるので、ＦＰＣが損傷してしまうことを防ぐことができる。
【００３３】
よって、この電子部品収納トレイは、ＦＰＣを有する電子部品を好適に収納することができる。
【００３４】
また、電子部品収納トレイが備える収納凹部は、サイズの異なる凹部が一対連なってなるので、電子部品収納トレイは、各凹部のサイズに応じた２種類の電子部品を収納するこ
とができる。例えば、大きなサイズの一方の凹部に大きな部品本体を収納し、対を成す小さなサイズの他方の凹部にＦＰＣを収容し、また、小さなサイズの一方の凹部に小さな部品本体を収納し、対を成す大きなサイズの他方の凹部にＦＰＣを収容するようにして、電子部品収納トレイの収納凹部に、サイズが異なる電子部品を収納することができる。
【００３５】
また、電子部品収納トレイは、大きなサイズの一方の凹部と小さなサイズの他方の凹部とが対を成す収納凹部に、ＦＰＣを有する電子部品を収納する際に、一方の凹部に部品本体を収納し、他方の凹部にＦＰＣを収容するように、一方の凹部と他方の凹部とを一対として、各収納凹部に１つずつ電子部品を収納するので、電子部品収納トレイに大きなサイズの電子部品（部品本体）を収納する場合でも、電子部品収納トレイに小さなサイズの電子部品（部品本体）を収納する場合でも、電子部品収納トレイは、収納凹部の数に基づきそれぞれ同数の電子部品を収納することができる。
【００３６】
よって、１つの電子部品収納トレイあたりに収納することができる電子部品の数は、その電子部品の大きさによらず同数であるので、電子部品収納トレイに収納される電子部品の数を管理することを容易に行うことができる。
【００３７】
また、電子部品収納トレイは、大きなサイズの電子部品用の収容トレイと小さなサイズの電子部品用の収容トレイとして共用することができるので、それぞれの電子部品毎に収容トレイを用意する必要がなく、サイズ共用の電子部品収容トレイとして収納トレイの管理も容易に行うことができる。
【００３８】
請求項３記載の発明によれば、請求項２に記載の発明と同様の効果が得られることは無論のこと、電子部品収納トレイが備える複数の収納凹部は、同じサイズの凹部同士が対向するように、その電子部品収納トレイに対称的に配置されているので、電子部品収納トレイに電子部品を対称的に収納することができることとなる。
【００３９】
ここで、電子部品は、比較的重い部品本体と比較的軽いＦＰＣとからなるため、その電子部品自体には重心に偏りがある。
【００４０】
そこで、電子部品収納トレイは複数の電子部品を各収納凹部に対称的に収納することによって、電子部品収納トレイに収納される電子部品における部品本体とＦＰＣに偏りがないようにして、重さのバランスよく電子部品を収納することを可能にする。
【００４１】
従って、電子部品収納トレイは、複数の電子部品を対称的にバランスよく収納することができ、複数の電子部品を安定させて収納することができる。
【００４２】
請求項４記載の発明によれば、請求項２又は３に記載の発明と同様の効果が得られることは無論のこと、電子部品収納トレイが備える複数の収納凹部は、小さなサイズの第２の凹部同士が大きなサイズの第１の凹部よりも電子部品収納トレイの内側で対向するように、その電子部品収納トレイに対称的に配置されているので、電子部品収納トレイに電子部品を対称的に収納することができることとなる。
【００４３】
ここで、電子部品は、比較的重い部品本体と比較的軽いＦＰＣとからなるため、その電子部品自体には重心に偏りがある。
【００４４】
そこで、電子部品収納トレイは複数の電子部品を各収納凹部に対称的に収納することによって、電子部品収納トレイに収納される電子部品における部品本体とＦＰＣに偏りがないようにして、重さのバランスよく電子部品を収納することを可能にする。
【００４５】
従って、電子部品収納トレイは、複数の電子部品を対称的にバランスよく収納することができ、複数の電子部品を安定させて収納することができる。
【００４６】
また、小さなサイズの第２の凹部同士が大きなサイズの第１の凹部よりも電子部品収納トレイの内側で対向するように収納凹部を配置することによって、小さなサイズの第２の凹部に相当する収納凹部の間を広くすることが可能になるので、その電子部品収納トレイの内側における収納凹部の間には、例えば、各収納凹部を仕切る太いトレイのフレーム部分が配置されることとなり、電子部品収納トレイの内側の剛性を高めることができる。更
に、電子部品収納トレイの外周側には枠部が備えられており、電子部品収納トレイの外周側を補強しているので、電子部品収納トレイの強度をより高めることができる。
【００４７】
よって、電子部品収納トレイは、その外周側に枠部を備え、内側に太いフレーム部分を備えることによって、電子部品収納トレイの強度向上を図ることができる。
【発明を実施するための最良の形態】
【００４８】
以下、図面を参照して、本発明に係る電子部品収納トレイの実施形態について詳細に説明する。
【００４９】
電子部品収納トレイ１０は、図１、図２に示すように、略矩形形状を呈するトレイであり、大きいサイズの略矩形状の第１の凹部１ａと、小さいサイズの略矩形状の第２の凹部１ｂが一対連なってなる収納凹部１を複数（図中、１２個）備えている。なお、各収納凹部１における隣接する第１の凹部１ａ間と、トレイの幅方向の内側で対向する第２の凹部１ｂ間とは、それぞれ連通するように形成されている。
【００５０】
また、電子部品収納トレイ１０は、そのトレイの外周側を補強するための枠部２を備え、また、各収納凹部１の間であって第２の凹部１ｂに相当する間には、スペーサ３・・・を備えている。
【００５１】
なお、電子部品収納トレイ１０は、例えば、ポリスチレンなどの樹脂材料が厚さ１ｍｍ程度に薄く延伸されるとともに様々な凹凸形状が付与されることによって、収納凹部１、枠部２、スペーサ３等が形成されているものである。
【００５２】
複数（１２個）の収納凹部１は、電子部品収納トレイ１０の幅方向の内側で、第２の凹部１ｂ同士が対向するように、電子部品収納トレイ１０に対称的に配置されている。
【００５３】
具体的には、図２に示す電子部品収納トレイ１０において、電子部品収納トレイ１０の図中上側に、第２の凹部１ｂを図中下側に向けた収納凹部１が６個配置され、電子部品収納トレイ１０の図中下側に、第２の凹部１ｂを図中上側に向けた収納凹部１が６個配置されており、図中上側の各収納凹部１と、図中下側の各収納凹部１とが、電子部品収納トレイ１０の幅方向の内側で第２の凹部１ｂ同士を対向させている。そして、図２に示す電子部品収納トレイ１０において、図中上下対称且つ左右対称に複数（１２個）の収納凹部１が配置されている。
【００５４】
枠部２は、電子部品収納トレイ１０の外周側の剛性を高めて、電子部品収納トレイ１０が折れ曲がったり、捩れたりすることを防ぎ、電子部品収納トレイ１０を補強し、その強度を向上させている。
【００５５】
スペーサ３は、電子部品収納トレイ１０に収納される電子部品Ｄを仕切るとともに、電子部品収納トレイ１０の内側の剛性を高めて、電子部品収納トレイ１０が折れ曲がったり、捩れたりすることを防ぎ、電子部品収納トレイ１０を補強し、その強度を向上させている。
【００５６】
特に、電子部品収納トレイ１０の幅方向の内側に、小さいサイズの第２の凹部１ｂを配置することによって、第２の凹部１ｂに相当する収納凹部１の間を広くすることが可能になり、スペーサ３を太く形成することができるので、電子部品収納トレイ１０の内側の剛性をより高めることができる。
【００５７】
この電子部品収納トレイ１０は、電子部品としての小型液晶表示装置Ｄを収納するためのものであり、小型液晶表示装置Ｄは、部品本体としてのＬＣＤ本体Ｌと、ＬＣＤ本体Ｌの所定箇所に延設されているＦＰＣ（フレキシブル基板Ｆ）とを有している。
【００５８】
そして、収納凹部１の第１の凹部１ａは、例えば、2.4inchサイズのＬＣＤ本体Ｌに応
じたサイズ、形状に形成されており、収納凹部１の第２の凹部１ｂは、例えば、1.7inch
サイズのＬＣＤ本体Ｌに応じたサイズ、形状に形成されている。
【００５９】
この電子部品収納トレイ１０に、2.4inchサイズの小型液晶表示装置Ｄを収納する場合
、図３に示すように、第１の凹部１ａに2.4inchサイズのＬＣＤ本体Ｌを嵌入するように
収納するとともに、その小型液晶表示装置Ｄが有するフレキシブル基板Ｆを、その第１の凹部１ａと対を成している第２の凹部１ｂに収容するように、小型液晶表示装置Ｄを収納凹部１に収納する。
【００６０】
同様に、電子部品収納トレイ１０に、1.7inchサイズの小型液晶表示装置Ｄを収納する
場合、図４に示すように、第２の凹部１ｂに1.7inchサイズのＬＣＤ本体Ｌを嵌入するよ
うに収納するとともに、その小型液晶表示装置Ｄが有するフレキシブル基板Ｆを、その第２の凹部１ｂと対を成している第１の凹部１ａに収容するように、小型液晶表示装置Ｄを収納凹部１に収納する。
【００６１】
なお、第１の凹部１ａは2.4inchサイズのＬＣＤ本体Ｌに応じた形状に形成されている
ので、第１の凹部１ａに嵌入された2.4inchサイズのＬＣＤ本体Ｌは、がたつくことなく
第１の凹部１ａの内壁面に密着するように収納される。同様に、第２の凹部１ｂは1.7inchサイズのＬＣＤ本体Ｌに応じた形状に形成されているので、第２の凹部１ｂに嵌入され
た1.7inchサイズのＬＣＤ本体Ｌは、がたつくことなく第２の凹部１ｂの内壁面に密着す
るように収納される。
【００６２】
そして、図３に示すように収納凹部１に収納された2.4inchサイズの小型液晶表示装置
Ｄを取り出す場合、各収納凹部１における第１の凹部１ａが隣接する間に形成されている連通部分に指などを入れて、ＬＣＤ本体Ｌを摘み上げるようにして、第１の凹部１ａからＬＣＤ本体Ｌを取り外すように小型液晶表示装置Ｄを取り出せばよい。
【００６３】
また、図４に示すように収納凹部１に収納された1.7inchサイズの小型液晶表示装置Ｄ
を取り出す場合、各収納凹部１における第２の凹部１ｂがトレイの内側で対向する間に形成されている連通部分に指などを入れて、ＬＣＤ本体Ｌを摘み上げるようにして、第２の凹部１ｂからＬＣＤ本体Ｌを取り外すように小型液晶表示装置Ｄを取り出せばよい。
【００６４】
また、図３に示すように、電子部品収納トレイ１０の全ての収納凹部１に、2.4inchサ
イズの小型液晶表示装置Ｄが収納された場合、図中上下対称且つ左右対称となる１２箇所に配置された収納凹部１に、小型液晶表示装置Ｄも図中上下対称且つ左右対称となるように収納されることとなるので、１２個の2.4inchサイズの小型液晶表示装置Ｄが、小型液
晶表示装置Ｄに重さのバランスよく収納される。
【００６５】
同様に、図４に示すように、電子部品収納トレイ１０の全ての収納凹部１に、1.7inch
サイズの小型液晶表示装置Ｄが収納された場合、図中上下対称且つ左右対称となる１２箇所に配置された収納凹部１に、小型液晶表示装置Ｄも図中上下対称且つ左右対称となるように収納されることとなるので、１２個の1.7inchサイズの小型液晶表示装置Ｄが、小型
液晶表示装置Ｄに重さのバランスよく収納される。
【００６６】
つまり、比較的重いＬＣＤ本体Ｌと比較的軽いフレキシブル基板Ｆとからなる小型液晶表示装置Ｄには、重心に偏りがあるが、電子部品収納トレイ１０は小型液晶表示装置Ｄを対称的に収納することができるので、重さのバランスよく収納することができることとなる。
【００６７】
一方、図５に示すような従来の電子部品収納トレイ１００の全ての凹部２０に小型液晶表示装置Ｄを収納した場合、図中右側にＬＣＤ本体Ｌが偏ることとなり、小型液晶表示装置Ｄを収納する電子部品収納トレイ１００のバランスが悪くなる。そして、小型液晶表示装置Ｄを収納する電子部品収納トレイ１００のバランスが悪くなると、電子部品収納トレイ１００が折れ曲がったり、捩れたりするなど変形しやすくなったり、小型液晶表示装置Ｄを収納する電子部品収納トレイ１００が傾きやすくなったりすることによって、電子部品収納トレイ１００から小型液晶表示装置Ｄがこぼれ落ちてしまうようなトラブルが生じ
ることがある。
【００６８】
それに対し、本発明の電子部品収納トレイ１０は小型液晶表示装置Ｄを対称的に、重さのバランスよく収納することができるので、小型液晶表示装置Ｄを安定させて収納することができる。
【００６９】
このように、本発明に係る電子部品収納トレイ１０は、サイズの異なる第１の凹部１ａと第２の凹部１ｂとが一対連なってなる複数の収納凹部１を備えており、フレキシブル基板Ｆを有する小型液晶表示装置Ｄを複数収納することができる。
【００７０】
特に、一方の凹部（例えば、第１の凹部１ａ）のサイズに応じたＬＣＤ本体Ｌをその凹部（例えば、第１の凹部１ａ）に収納するとともに、そのＬＣＤ本体Ｌから延設されるフレキシブル基板Ｆを、対を成している他方の凹部（例えば、第２の凹部１ｂ）に延出するように収容することによって、フレキシブル基板ＦをＬＣＤ本体Ｌに接触させることなく収納することができ、フレキシブル基板Ｆが損傷することを防ぐことができる。
【００７１】
また、電子部品収納トレイ１０は、各収納凹部１に収納する小型液晶表示装置Ｄを互いに重ならないようにそれぞれ単独に収納することができるので、各収納凹部１に対する小型液晶表示装置Ｄの収納順や、取り出し順に関する制約はなく、所望する順に小型液晶表示装置Ｄを収納したり、取り出したりすることができ、その収納・取り出し作業を容易に行うことができる。
【００７２】
よって、この電子部品収納トレイ１０は、フレキシブル基板Ｆを有する小型液晶表示装置Ｄを好適に収納することができる電子部品収納トレイであるといえる。
【００７３】
また、電子部品収納トレイ１０は、大きなサイズの第１の凹部１ａと小さなサイズの第２の凹部１ｂとが対を成す収納凹部１に、フレキシブル基板Ｆを有する小型液晶表示装置Ｄを収納する際に、一方の凹部（例えば、第１の凹部１ａ）にＬＣＤ本体Ｌを収納し、他方の凹部（例えば、第２の凹部１ｂ）にＬＣＤ本体Ｌから延設されるフレキシブル基板Ｆを収容するように、第１の凹部１ａと第２の凹部１ｂとを一対として、各収納凹部１に１つずつ小型液晶表示装置Ｄを収納するので、電子部品収納トレイ１０に2.4inchサイズの
小型液晶表示装置Ｄを収納する場合でも、電子部品収納トレイ１０に1.7inchサイズの小
型液晶表示装置Ｄを収納する場合でも、収納凹部１の数に基づき、それぞれ同数（この電子部品収納トレイ１０の場合、１２個）の小型液晶表示装置Ｄを収納することができる。
【００７４】
つまり、一つの電子部品収納トレイ１０あたりに収納することができる小型液晶表示装置Ｄの数は、その小型液晶表示装置Ｄ（ＬＣＤ本体Ｌ）の大きさによらず同数であるので、複数の電子部品収納トレイ１０に収納される小型液晶表示装置Ｄの数を管理することを容易に行うことができる。
【００７５】
また、電子部品収納トレイ１０を、2.4inchサイズの小型液晶表示装置Ｄ用の収容トレ
イと、1.7inchサイズの小型液晶表示装置Ｄ用の収容トレイとして、共用することができ
るので、それぞれの小型液晶表示装置Ｄ毎に収容トレイを用意する必要がなく、その収容トレイの管理も容易に行うことができる。
【００７６】
また、電子部品収納トレイ１０の収納凹部１には、2.4inchサイズの小型液晶表示装置
Ｄと、1.7inchサイズの小型液晶表示装置Ｄを、それぞれ好適に安定した状態で収納する
ことができるので、１つの電子部品収納トレイ１０に、2.4inchサイズの小型液晶表示装
置Ｄと1.7inchサイズの小型液晶表示装置Ｄを混在させても、安定した状態で収納するこ
とができる。
【００７７】
また、電子部品収納トレイ１０は、複数の収納凹部１を対称的に配置するように備えているので、電子部品収納トレイ１０に小型液晶表示装置Ｄを対称的に収納することができることとなって、個々の小型液晶表示装置Ｄに重心の偏りがあっても、電子部品収納トレイ１０は複数の小型液晶表示装置Ｄを重さのバランスよく収納することができる。
【００７８】
また、電子部品収納トレイ１０は、その外周側に枠部２を備え、内側に比較的太いスペーサ３を備えることによって、電子部品収納トレイ１０の強度向上を図ることができる。
【００７９】
なお、以上の実施の形態においては、各凹部（１ａ、１ｂ）の形状が略矩形状である収納凹部１を例に説明したが、本発明はこれに限定されるものではなく、各凹部や収納凹部の形状は、収納する物品の形状に応じた任意の形状であってよい。
【００８０】
また、以上の実施の形態においては、電子部品収納トレイ１０の幅方向の内側で第２の凹部１ｂ同士が対向するように収納凹部１を線対称的に配置する状態を例に説明したが、本発明はこれに限定されるものではなく、電子部品収納トレイ１０の中心側で第２の凹部１ｂ同士が対向するように収納凹部１を点対称的に配置し、各収納凹部１を電子部品収納トレイ１０の中心から放射状に配置するようにしてもよい。
【００８１】
また、その他、具体的な細部構造等についても適宜に変更可能であることは勿論である。
【図面の簡単な説明】
【００８２】
【図１】本発明に係る電子部品収納トレイを示す斜視図である。
【図２】本発明に係る電子部品収納トレイを示す平面図である。
【図３】電子部品収納トレイに電子部品を収納した状態を示す平面図である。
【図４】電子部品収納トレイに電子部品を収納した状態を示す平面図である。
【図５】従来の電子部品収納トレイを示す平面図である。
【符号の説明】
【００８３】
１      収納凹部
１ａ    第１の凹部
１ｂ    第２の凹部
２      枠部
３      スペーサ
１０    電子部品収納トレイ
Ｄ      小型液晶表示装置（電子部品）
Ｌ      ＬＣＤ本体（部品本体）
Ｆ      フレキシブル基板（ＦＰＣ）
【図１】
2007030917.tif 000003
【図２】
2007030917.tif 000004
【図３】
2007030917.tif 000005
【図４】
2007030917.tif 000006
【図５】
2007030917.tif 000007